(57)【要約】【課題】  床プレート体が構造体から外れることを抑制できるマンコンベヤを提供する。【解決手段】  マンコンベヤにおいては、第１床プレート体は、平板状に形成される第１プレート部と、第１プレート部を構造体に固定する固定部と、を備え、固定部は、第１プレート部が構造体に固定される状態と固定を解除される状態とを切り替えるために、第１プレート部の上方側から操作可能な操作部を備え、第２床プレート体は、平板状に形成される第２プレート部と、第１プレート部の下面に引っ掛かるように、第２プレート部から突出する突出部と、を備える。【選択図】  図３
2020142916.tif 000002
【特許請求の範囲】
【請求項１】
躯体に設置される構造体と、
乗降部の床を構成するために、前記構造体の上に設置される複数の床プレート体と、を備え、
前記複数の床プレート体は、最も端部に配置される第１床プレート体と、前記第１床プレート体の隣に配置される第２床プレート体と、を含み、
前記第１床プレート体は、平板状に形成される第１プレート部と、前記第１プレート部を構造体に固定する固定部と、を備え、
前記固定部は、前記第１プレート部が前記構造体に固定される状態と固定を解除される状態とを切り替えるために、前記第１プレート部の上方側から操作可能な操作部を備え、
前記第２床プレート体は、平板状に形成される第２プレート部と、前記第１プレート部の下面に引っ掛かるように、前記第２プレート部から突出する突出部と、を備える、マンコンベヤ。
【請求項２】
前記突出部は、前記第１プレート部の下面に接するように、配置され、
前記第１床プレート体は、前記第２プレート部の下面に接するように、前記第１プレート部から突出する突出部を備える、請求項１に記載のマンコンベヤ。
【請求項３】
前記固定部は、前記第１プレート部よりも下方に配置される第１ネジ部を備え、
前記構造体は、前記躯体に設置される構造本体部と、前記第１ネジ部と螺合する第２ネジ部と、前記第２ネジ部が前記構造本体部に対して横方向に移動することを許容し且つ上下方向に移動することを規制するように、前記第２ネジ部を保持する保持部と、を備える、請求項１又は２に記載のマンコンベヤ。
【請求項４】
前記第１ネジ部は、雄ネジであって、
前記第１プレート部は、前記第１ネジ部と螺合する雌ネジ部を備える、請求項３に記載のマンコンベヤ。
【発明の詳細な説明】
【技術分野】
【０００１】
本発明は、マンコンベヤに関する。
【背景技術】
【０００２】
従来、例えば、マンコンベヤは、躯体に設置される構造体と、乗降部の床を構成するために、構造体の上に設置される複数の床プレート体とを備えている（例えば、特許文献１）。そして、複数の床プレート体は、例えば、風などの力によって構造体から外れないように、構造体に固定されている。
【０００３】
特許文献１に係るマンコンベヤにおいては、最も端部に配置される第１床プレート体は、平板状に形成されるプレート部と、プレート部を構造体に固定する固定部とを備えている。また、その隣に配置される第２床プレート体は、平板状に形成されるプレート部と、構造体に引っ掛かるように、プレート部から突出する突出部とを備えている。
【０００４】
ところで、第２床プレート体を構造体の上に設置するためには、構造体に設けられた凹部に、突出部を入れる必要があるため、第２床プレート体を構造体の上に載せる位置が制限される。また、例えば、ある程度の重さ（例えば、１５〜２５ｋｇ）を有する第２床プレート体を構造体の上でスライドさせる必要もある。そこで、特許文献１に係るマンコンベヤとは異なった、床プレート体が構造体から外れることを抑制できるマンコンベヤが要望されている。
【先行技術文献】
【特許文献】
【０００５】
【特許文献１】特開２０１７−１９０２２９号公報
【発明の概要】
【発明が解決しようとする課題】
【０００６】
そこで、課題は、床プレート体が構造体から外れることを抑制できるマンコンベヤを提供することである。
【課題を解決するための手段】
【０００７】
マンコンベヤは、躯体に設置される構造体と、乗降部の床を構成するために、前記構造体の上に設置される複数の床プレート体と、を備え、前記複数の床プレート体は、最も端部に配置される第１床プレート体と、前記第１床プレート体の隣に配置される第２床プレート体と、を含み、前記第１床プレート体は、平板状に形成される第１プレート部と、前記第１プレート部を構造体に固定する固定部と、を備え、前記固定部は、前記第１プレート部が前記構造体に固定される状態と固定を解除される状態とを切り替えるために、前記第１プレート部の上方側から操作可能な操作部を備え、前記第２床プレート体は、平板状に形成される第２プレート部と、前記第１プレート部の下面に引っ掛かるように、前記第２プレート部から突出する突出部と、を備える。
【０００８】
また、マンコンベヤにおいては、前記突出部は、前記第１プレート部の下面に接するように、配置され、前記第１床プレート体は、前記第２プレート部の下面に接するように、前記第１プレート部から突出する突出部を備える、という構成でもよい。
【０００９】
また、マンコンベヤにおいては、前記固定部は、前記第１プレート部よりも下方に配置される第１ネジ部を備え、前記構造体は、前記躯体に設置される構造本体部と、前記第１ネジ部と螺合する第２ネジ部と、前記第２ネジ部が前記構造本体部に対して横方向に移動することを許容し且つ上下方向に移動することを規制するように、前記第２ネジ部を保持する保持部と、を備える、という構成でもよい。
【００１０】
また、マンコンベヤにおいては、前記第１ネジ部は、雄ネジであって、前記第１プレート部は、前記第１ネジ部と螺合する雌ネジ部を備える、という構成でもよい。
【図面の簡単な説明】
【００１１】
【図１】図１は、一実施形態に係るマンコンベヤの概要図である。
【図２】図２は、同実施形態に係るマンコンベヤの乗降部の平面図である。
【図３】図３は、同実施形態に係る床プレート体の平面図である。
【図４】図４は、図２のIV−IV線の要部拡大断面図である。
【図５】図５は、図４のＶ−Ｖ線の要部断面図である。
【図６】図６は、図２のVI−VI線の要部拡大断面図である
【図７】図７は、図６のVII−VII線の要部拡大断面図である。
【図８】図８は、図６のVIII−VIII線の要部拡大断面図である。
【図９】図９は、同実施形態に係る第１床プレート体の固定方法を説明する要部拡大断面図である。
【図１０】図１０は、同実施形態に係る第１床プレート体の固定方法を説明する要部拡大断面図である。
【図１１】図１１は、同実施形態に係る第１床プレート体の要部断面図である。
【図１２】図１２は、他の実施形態に係る第１床プレート体の固定方法を説明する要部拡大断面図である。
【図１３】図１３は、さらに他の実施形態に係る第１床プレート体の固定方法を説明する要部拡大断面図である。
【図１４】図１４は、同実施形態に係る第１床プレート体の固定方法を説明する要部拡大断面図である。
【図１５】図１５は、さらに他の実施形態に係る第１床プレート体の固定方法を説明する要部拡大断面図である。
【図１６】図１６は、同実施形態に係る第１床プレート体の固定方法を説明する要部拡大断面図である。
【発明を実施するための形態】
【００１２】
以下、マンコンベヤにおける一実施形態について、図１〜図１１を参照しながら説明する。なお、各図（図１２〜図１６も同様）において、図面の寸法比と実際の寸法比とは、必ずしも一致しておらず、また、各図面の間での寸法比も、必ずしも一致していない。
【００１３】
図１に示すように、本実施形態に係るマンコンベヤ１は、躯体（例えば、梁）に設置される構造体２と、人を搬送する搬送部１１と、搬送部１１を第１方向Ｄ１で挟むように配置される一対の欄干部１２，１２（図１においては、一つのみを図示している）とを備えている。また、マンコンベヤ１は、搬送部１１及び欄干部１２を駆動させる駆動部１３を備えている。
【００１４】
図１において、第１方向Ｄ１は、水平方向と平行な方向であって、幅方向Ｄ１といい、第２方向Ｄ２は、水平方向と平行な方向で且つ幅方向Ｄ１と直交する方向であって、前後方向Ｄ２という。第３方向Ｄ３は、鉛直方向と平行な方向であって、上下方向Ｄ３という。
【００１５】
また、本実施形態に係るマンコンベヤ１は、人を搬送するために、踏面が階段状になるエスカレータであるが、斯かる構成に限られない。例えば、マンコンベヤ１は、人を搬送するために、踏面が平面状となる移動歩道（動く歩道）であってもよい。
【００１６】
搬送部１１は、駆動部１３に駆動されることによって無端回転する環状の走行部１１ａと、走行部１１ａに対して回転可能に接続され、人が乗る踏面を有する複数のステップ１１ｂとを備えている。走行部１１ａは、幅方向Ｄ１に離れて一対設けられている（図１においては、一つのみ図示している）。そして、複数のステップ１１ｂは、一対の走行部１１ａ，１１ａの間に配置され、それぞれの走行部１１ａに対して回転可能に接続されている。
【００１７】
欄干部１２は、駆動部１３に駆動されることによって無端回転する環状の手摺ベルト１２ａと、手摺ベルト１２ａを支持するベルト支持部１２ｂとを備えている。また、欄干部１２は、ベルト支持部１２ｂの下部を覆うカバー部１２ｃを備えている。
【００１８】
駆動部１３は、ステップ１１ｂが反転するように、走行部１１ａが巻き掛けられる一対の回転部（例えば、スプロケット）１３ａ，１３ａと、回転部１３ａを回転させる駆動源（例えば、モータ）１３ｂとを備えている。なお、回転部１３ａは、構造体２に回転可能に接続されている。
【００１９】
構造体２は、各構成１１〜１３を支持している。また、構造体２は、前後方向Ｄ２のそれぞれの端部に、機械室２ａ，２ａを備えている。具体的には、構造体２は、マンコンベヤ１の各乗降部１ａの下方に、機械室２ａ，２ａを備えている。なお、マンコンベヤ１は、各乗降部１ａの床を構成する乗降床部１４を備えている。乗降床部１４は、各機械室２ａ，２ａを上方から覆うように、構造体２の上に設置されている。
【００２０】
乗降床部１４は、乗降部１ａの床を構成するために、図２に示すように、構造体２の上に設置される複数の床プレート体３〜５を備えている。なお、床プレート体３〜５の個数は、複数であれば特に限定されないが、本実施形態においては、三つとしている。また、乗降床部１４は、前後方向Ｄ２の内側の端部に配置されるコムプレート体６を備えている。
【００２１】
コムプレート体６は、平板状に形成されるコムプレート部６ａと、コムプレート部６ａの端部に固定される複数の櫛板部６ｂとを備えている。櫛板部６ｂは、ステップ１１ｂ（図１参照）の踏面の凹凸と、非接触状態で噛み合う櫛歯を備えている。そして、コムプレート体６は、構造体２に固定されている。
【００２２】
複数の床プレート体３〜５は、前後方向Ｄ２の外側の最も端部に配置される第１床プレート体３と、第１床プレート体３の隣に配置される第２床プレート体４と、第２床プレート体４の隣に配置される第３床プレート体５とを備えている。第２床プレート体４は、第１床プレート体３と第３床プレート体５との間に配置され、第３床プレート体５は、第２床プレート体４とコムプレート体６との間に配置されている。
【００２３】
なお、床プレート体３〜５は、欄干部１２が設置されている状態において、構造体２に対して着脱可能である一方で、コムプレート体６は、欄干部１２が設置されている状態において、構造体２に対して着脱不能である。したがって、マンコンベヤ１を保守及び点検する際に、床プレート体３〜５は、構造体２から取り外され、コムプレート体６は、構造体２から取り外されない。
【００２４】
図２及び図３に示すように、第１床プレート体３は、平板状に形成される第１プレート部３ａと、第１プレート部３ａを補強するために、第１プレート部３ａの下面に連結される長尺な補強部３ｂ，３ｃとを備えている。また、第１床プレート体３は、第１プレート部３ａから突出する突出部３ｄを備えている。
【００２５】
第２床プレート体４は、平板状に形成される第２プレート部４ａと、第２プレート部４ａを補強するために、第２プレート部４ａの下面に連結される長尺な補強部４ｂ，４ｃとを備えている。また、第２床プレート体４は、第２プレート部４ａから突出する突出部４ｄ，４ｅを備えている。
【００２６】
第３床プレート体５は、平板状に形成される第３プレート部５ａと、第３プレート部５ａを補強するために、第３プレート部５ａの下面に連結される長尺な補強部５ｂ，５ｃとを備えている。また、第３床プレート体５は、第３プレート部５ａから突出する突出部５ｄを備えている。
【００２７】
各床プレート体３〜５においては、第１補強部３ｂ，４ｂ，５ｂは、幅方向Ｄ１に沿って延びており、第２補強部３ｃ，４ｃ，５ｃは、前後方向Ｄ２に沿って延びている。各補強部３ｂ，３ｃ，４ｂ，４ｃ，５ｂ，５ｃの個数は、特に限定されないが、本実施形態においては、第１補強部３ｂ，４ｂ，５ｂは、前後方向Ｄ２に並列するように、三つ備えられており、第２補強部３ｃ，４ｃ，５ｃは、プレート部３ａ，４ａ，５ａの幅方向Ｄ１の各端部に位置するように、二つ備えられている。
【００２８】
各床プレート体３〜５が構造体２に設置されている際に、第１床プレート体３の突出部３ｄは、第２プレート部４ａの下面に接しており、第２床プレート体４の第１突出部４ｄは、第１プレート部３ａの下面に接している。また、各床プレート体３〜５が構造体２に設置されている際に、第２床プレート体４の第２突出部４ｅは、第３プレート部５ａの下面に接しており、第３床プレート体５の突出部５ｄは、第２プレート部４ａの下面に接している。
【００２９】
これにより、各プレート部３ａ，４ａ，５ａが、突出部３ｄ，４ｄ，４ｅ，５ｄに下方から支持されているため、各プレート部３ａ，４ａ，５ａは、互いに支持し合っている。したがって、各床プレート体３〜５に人が載った際に、各プレート部３ａ，４ａ，５ａが撓むことを抑制することができる。
【００３０】
なお、突出部３ｄ，４ｄ，４ｅ，５ｄの個数は、特に限定されない。また、突出部３ｄ，４ｄ，４ｅ，５ｄの形状は、特に限定されないが、本実施形態においては、突出部３ｄ，４ｄ，４ｅ，５ｄは、板状に形成されている。具体的には、板部材の基端部が各プレート部３ａ，４ａ，５ａの下面に連結されることによって、当該板部材の先端部が、突出部３ｄ，４ｄ，４ｅ，５ｄを構成している。
【００３１】
ところで、第１床プレート体３は、第１プレート部３ａを構造体２に固定する固定部３ｅを備えており、第３床プレート体５は、第３プレート部５ａを構造体２に固定する固定部５ｅを備えている。したがって、第１床プレート体３と第３床プレート体５とは、それぞれ固定部３ｅ，５ｅによって、構造体２に固定されている。そして、第２床プレート体４の突出部４ｄ，４ｅが第１プレート部３ａと第３プレート部５ａに引っ掛かることによって、第２床プレート体４は、構造体２に対して固定されている。
【００３２】
したがって、各床プレート体３〜５を構造体２から取り外す場合には、固定部３ｅによる第１プレート部３ａと構造体２との固定を解除した後、第１床プレート体３、第２床プレート体４の順に、構造体２から取り外す。その後、固定部５ｅによる第３プレート部５ａと構造体２との固定を解除した後、第３床プレート体５を構造体２から取り外す。
【００３３】
反対に、各床プレート体３〜５を構造体２に取り付ける場合には、第３床プレート体５を構造体２の上に載せた後、固定部５ｅによって第３プレート部５ａと構造体２とを固定する。その後、第２床プレート体４、第１床プレート体３の順に、構造体２の上に載せた後、固定部３ｅによって第１プレート部３ａと構造体２とを固定する。したがって、第１床プレート体３の固定部３ｅは、第１プレート部３ａの上方側から操作される。
【００３４】
ここで、第３床プレート体５の固定部５ｅの構成について、図４及び図５を参照しながら説明する。
【００３５】
図４及び図５に示すように、構造体２は、躯体に設置される構造本体部２ｂを備えている。構造本体部２ｂは、例えば、トラス構造又はケタ構造を構成する上枠部２ｃと、上枠部２ｃに連結される連結部２ｄと、連結部２ｄに連結され、固定部５ｅに固定される被固定部２ｅとを備えている。なお、上枠部２ｃ及び連結部２ｄ、並びに、連結部２ｄ及び被固定部２ｅは、図示していない締結手段（ボルト及びナット）又は溶接によって、それぞれ互いに固定されている。
【００３６】
第３床プレート体５の固定部５ｅの構成は、特に限定されないが、本実施形態においては、締結手段（ボルト５ｆ及びナット５ｇ）としている。具体的には、第３床プレート体５の第１補強部５ｂの開口と構造体２の被固定部２ｅの開口に、ボルト５ｆが挿通されて、第３床プレート体５の第１補強部５ｂと構造体２の被固定部２ｅとが、ボルト５ｆ及びナット５ｇによって、締結されている。
【００３７】
次に、第１床プレート体３の固定部３ｅの構成について、図６〜図８を参照しながら説明する。
【００３８】
図６〜図８に示すように、固定部３ｅは、第１プレート部３ａが構造体２に固定される状態と固定を解除される状態とを切り替えるために操作される操作部３ｆと、第１プレート部３ａよりも下方に配置される第１ネジ部３ｇとを備えている。そして、第１ネジ部３ｇは、雄ネジであって、第１プレート部３ａは、第１ネジ部３ｇと螺合する雌ネジ部３ｈを備えている。本実施形態においては、固定部３ｅは、ボルトである。
【００３９】
操作部３ｆは、、第１プレート部３ａの上方側から操作可能なように、第１プレート部３ａよりも上方に位置している。これにより、操作部３ｆは、第１プレート部３ａから上方に露出している。また、第１ネジ部３ｇ及び雌ネジ部３ｈは、第１補強部３ｂ，３ｂ間に配置されている。
【００４０】
また、第１床プレート体３は、構造体２に対する第１プレート部３ａの上下方向Ｄ３の位置を変更可能な位置変更部３ｉを備えている。なお、第２床プレート体４及び第３床プレート体５も、同様に、構造体２に対するプレート部４ａ，５ａの上下方向Ｄ３の位置を変更可能な位置変更部を備えている。
【００４１】
位置変更部３ｉの構成は、特に限定されないが、本実施形態においては、位置変更部３ｉは、補強部３ｂ，３ｃに固定されるナット３ｊと、ナット３ｊと螺合し、構造体２の上に載るボルト３ｋとを備えている。そして、補強部３ｂ，３ｃから下方に突出するボルト３ｋの長さが変更することによって、構造体２に対する第１プレート部３ａの上下方向Ｄ３の位置が変更される。
【００４２】
構造体２は、固定部３ｅに固定される被固定部２ｆと、被固定部２ｆを保持する保持部２ｇとを備えている。なお、被固定部２ｆは、固定部３ｅの第１ネジ部３ｇと螺合する第２ネジ部２ｈを備えている。本実施形態においては、第２ネジ部２ｈは、雌ネジである。また、被固定部２ｆは、第１ネジ部３ｇを第２ネジ部２ｈに向けて案内するために、第２ネジ部２ｈの上端に連接される案内部２ｉを備えている。案内部２ｉは、上方に向けて開口が広がるテーパ状に形成されている。
【００４３】
保持部２ｇは、連結部２ｄに連結されて被固定部２ｆを支持する支持部２ｊと、支持部２ｊとの間に被固定部２ｆを挟む挟み部２ｋと、支持部２ｊと挟み部２ｋとを締結するボルト２ｍ及びナット２ｎとを備えている。なお、連結部２ｄ及び支持部２ｊは、図示していない締結手段（ボルト及びナット）又は溶接によって、互いに固定されている。そして、被固定部２ｆは、ボルト２ｍに挿通される挿通孔２ｐを備えており、挿通孔２ｐの内径は、ボルト２ｍのネジ外径よりも大きくなっている。
【００４４】
これにより、被固定部２ｆは、支持部２ｊ及び挟み部２ｋの間を横方向Ｄ１，Ｄ２にスライドすることができる一方で、支持部２ｊ及び挟み部２ｋに接することによって、上下方向Ｄ３で止められている。したがって、保持部２ｇは、被固定部２ｆが構造本体部２ｂに対して横方向Ｄ１，Ｄ２に移動することを許容し且つ上下方向Ｄ３に移動することを規制するように、被固定部２ｆを保持している。なお、挿通孔２ｐがボルト２ｍに接することによって、被固定部２ｆは、横方向Ｄ１，Ｄ２に所定距離を超えてスライドすることを規制されている。
【００４５】
ここで、第１床プレート体３の固定方法について、図９及び図１０を参照しながら説明する。
【００４６】
図９に示すように、第１床プレート体３を構造体２の上に載せた後、第１プレート部３ａの下方側から操作できない状態となる。しかしながら、固定部３ｅの操作部３ｆが、第１プレート部３ａよりも上方に位置し、操作部３ｆが、第１プレート部３ａから上方に露出しているため、第１プレート部３ａの上方側から操作部３ｆを操作することができる。
【００４７】
そして、操作部３ｆを操作することによって、固定部３ｅの第１ネジ部３ｇを、第１プレート部３ａの雌ネジ部３ｈと螺合させる。これにより、第１ネジ部３ｇが向かう方向が規制されるため、第１ネジ部３ｇが被固定部２ｆの第２ネジ部２ｈから外れた位置に向かうことを抑制することができる。
【００４８】
ところで、構造体２に対する第１プレート体３の位置によっては、第１ネジ部３ｇは、被固定部２ｆの案内部２ｉに当たることになる。斯かる状態から、第１ネジ部３ｇが下方に進むと、図１０に示すように、被固定部２ｆが横方向Ｄ１，Ｄ２（図１０において、左側）に移動し、第１ネジ部３ｇが案内部２ｉに案内される。そして、固定部３ｅの第１ネジ部３ｇが、被固定部２ｆの第２ネジ部２ｈと螺合する。これにより、第１床プレート体３が固定部３ｅによって構造体２に固定される。
【００４９】
また、第１床プレート体３が固定部３ｅによって構造体２に固定された際に、保持部２ｇは、被固定部２ｆが構造本体部２ｂに対して上下方向Ｄ３に移動することを規制している。これにより、第１プレート部３ａが構造本体部２ｂから上方に離れることを規制することができる。したがって、第１床プレート体３が安定して構造体２に固定される。
【００５０】
なお、図１１に示すように、第１プレート部３ａの雌ネジ部３ｈは、着脱具Ｘ１の雄ネジ部Ｘ１ａと螺合可能である。これにより、固定部３ｅを第１プレート部３ａから取り外し、着脱具Ｘ１を第１プレート部３ａに取り付けることで、着脱具Ｘ１を用いて、第１床プレート体３を構造体２から容易に取り外すことができる。
【００５１】
また、上方側の乗降部１ａの床プレート体３，４について、説明したが、上記構成は、下方側の乗降部１ａの床プレート体３，４にも、備えられている、という構成でもよい。即ち、一対の乗降部１ａの床プレート体３，４のうち、少なくとも一方が、上記構成を備えている、という構成であればよい。
【００５２】
以上より、本実施形態に係るマンコンベヤ１は、躯体に設置される構造体２と、乗降部１ａの床を構成するために、前記構造体２の上に設置される複数の床プレート体３〜５と、を備え、前記複数の床プレート体３〜５は、最も端部に配置される第１床プレート体３と、前記第１床プレート体３の隣に配置される第２床プレート体４と、を含み、前記第１床プレート体３は、平板状に形成される第１プレート部３ａと、前記第１プレート部３ａを構造体２に固定する固定部３ｅと、を備え、前記固定部３ｅは、前記第１プレート部３ａが前記構造体２に固定される状態と固定を解除される状態とを切り替えるために、前記第１プレート部３ａの上方側から操作可能な操作部３ｆを備え、前記第２床プレート体４は、平板状に形成される第２プレート部４ａと、前記第１プレート部３ａの下面に引っ掛かるように、前記第２プレート部４ａから突出する突出部４ｄと、を備える。
【００５３】
斯かる構成によれば、第１プレート部３ａは、固定部３ｅによって、構造体２に固定されている。そして、突出部４ｄが第２プレート部４ａから突出しているため、突出部４ｄは、第１プレート部３ａの下面に引っ掛かる。これにより、第２プレート部４ａは、第１プレート部３ａと協働して、構造体２に固定されている。したがって、床プレート体３，４が構造体２から外れることを抑制できる。
【００５４】
また、本実施形態に係るマンコンベヤ１においては、前記突出部４ｄは、前記第１プレート部３ａの下面に接するように、配置され、前記第１床プレート体３は、前記第２プレート部４ａの下面に接するように、前記第１プレート部３ａから突出する突出部３ｄを備える、という構成である。
【００５５】
斯かる構成によれば、第１床プレート体３の突出部３ｄは、第２プレート部４ａの下面に接しており、第２床プレート体４の突出部４ｄは、第１プレート部３ａの下面に接している。これにより、各プレート部３ａ，４ａは、それぞれ突出部４ｄ，３ｄに下方から支持されている。したがって、床プレート体３，４に人が載った際に、プレート部３ａ，４ａが撓むことを抑制することができる。
【００５６】
また、本実施形態に係るマンコンベヤ１においては、前記固定部３ｅは、前記第１プレート部３ａよりも下方に配置される第１ネジ部３ｇを備え、前記構造体２は、前記躯体に設置される構造本体部２ｂと、前記第１ネジ部３ｇと螺合する第２ネジ部２ｈと、前記第２ネジ部２ｈが前記構造本体部２ｂに対して横方向Ｄ１，Ｄ２に移動することを許容し且つ上下方向Ｄ３に移動することを規制するように、前記第２ネジ部２ｈを保持する保持部２ｇと、を備える、という構成である。
【００５７】
斯かる構成によれば、保持部２ｇは、第２ネジ部２ｈが構造本体部２ｂに対して横方向Ｄ１，Ｄ２に移動することを許容する。これにより、第１プレート部３ａが構造体２に設置される際に、構造本体部２ｂに対する第１プレート部３ａの位置が変化しても、第２ネジ部２ｈが構造本体部２ｂに対して横方向Ｄ１，Ｄ２に移動することによって、第１ネジ部３ｇが第２ネジ部２ｈと螺合できる。
【００５８】
また、保持部２ｇは、第２ネジ部２ｈが構造本体部２ｂに対して上下方向Ｄ３に移動することを規制する。これにより、第１ネジ部３ｇが第２ネジ部２ｈと螺合することによって、第１プレート部３ａが構造本体部２ｂに固定された際に、第１プレート部３ａが構造本体部２ｂから上方に離れることを規制することができる。
【００５９】
また、本実施形態に係るマンコンベヤ１においては、前記第１ネジ部３ｇは、雄ネジであって、前記第１プレート部３ａは、前記第１ネジ部３ｇと螺合する雌ネジ部３ｈを備える、という構成である。
【００６０】
斯かる構成によれば、第１ネジ部３ｇは、雌ネジ部３ｈと螺合しつつ、第２ネジ部２ｈと螺合することになる。これにより、第１ネジ部３ｇが雌ネジ部３ｈと螺合することによって、第１ネジ部３ｇが向かう方向が規制される。したがって、第１ネジ部３ｇが第２ネジ部２ｈから外れた位置に向かうことを抑制することができる。
【００６１】
なお、マンコンベヤ１は、上記した実施形態の構成に限定されるものではなく、また、上記した作用効果に限定されるものではない。また、マンコンベヤ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６２】
（１）上記実施形態に係るマンコンベヤ１においては、第１プレート部３ａは、第１ネジ部３ｇと螺合する雌ネジ部３ｈを備えている、という構成である。しかしながら、マンコンベヤ１は、斯かる構成に限られない。例えば、図１２に示すように、第１プレート部３ａは、第１ネジ部３ｇの外径よりも大きい内径を有する雌ネジ部３ｈ（又は、貫通孔）を備えている、という構成でもよい。
【００６３】
図１２に係る構成によれば、第１ネジ部３ｇが第２ネジ部２ｈと螺合することによって、被固定部２ｆは、保持部２ｇの挟み部２ｋと加圧して接することになる。これにより、第１プレート部３ａが構造本体部２ｂに固定された際に、第１プレート部３ａが構造本体部２ｂから上方に離れることを確実に規制することができる。
【００６４】
（２）また、上記実施形態に係るマンコンベヤ１においては、保持部２ｇは、支持部２ｊと挟み部２ｋとを、ボルト２ｍ及びナット２ｎで締結する、という構成である。しかしながら、マンコンベヤ１は、斯かる構成に限られない。
【００６５】
例えば、図１３及び図１４に示すように、保持部２ｇは、支持部２ｊと挟み部２ｋとを、被固定部２ｆの外側に配置される接続部２ｑで接続する、という構成でもよい。斯かる構成によれば、保持部２ｇは、第２ネジ部２ｈ（被固定部２ｆ）が構造本体部２ｂに対して横方向Ｄ１，Ｄ２に移動することを許容し且つ上下方向Ｄ３に移動することを規制するように、第２ネジ部２ｈ（被固定部２ｆ）を保持している。
【００６６】
（３）また、上記実施形態に係るマンコンベヤ１においては、支持部２ｊと挟み部２ｋとが被固定部２ｆを上下方向Ｄ３で挟むことによって、保持部２ｇは、被固定部２ｆを保持する、という構成である。しかしながら、マンコンベヤ１は、斯かる構成に限られない。
【００６７】
例えば、図１５及び図１６に示すように、挟み部２ｋが、被固定部２ｆと連結され、被固定部２ｆと挟み部２ｋとが支持部２ｊを上下方向Ｄ３に挟むことによって、保持部２ｇは、被固定部２ｆを保持する、という構成でもよい。斯かる構成によれば、保持部２ｇは、第２ネジ部２ｈ（被固定部２ｆ）が構造本体部２ｂに対して横方向Ｄ１，Ｄ２に移動することを許容し且つ上下方向Ｄ３に移動することを規制するように、第２ネジ部２ｈ（被固定部２ｆ）を保持している。
【００６８】
（４）また、上記実施形態に係るマンコンベヤ１においては、第１床プレート体３は、第１プレート部３ａから突出する突出部３ｄを備えている、という構成である。しかしながら、マンコンベヤ１は、斯かる構成が好ましいものの、斯かる構成に限られない。例えば、第１床プレート体３は、第１プレート部３ａから突出する突出部３ｄを備えていない、という構成でもよい。
【００６９】
（５）また、上記実施形態に係るマンコンベヤ１においては、各床プレート体３，４が構造体２に設置されている際に、第２床プレート体４の突出部４ｄは、第１プレート部３ａの下面に接するように、配置されている、という構成である。しかしながら、マンコンベヤ１は、斯かる構成が好ましいものの、斯かる構成に限られない。例えば、各床プレート体３，４が構造体２に設置されている際に、第２床プレート体４の突出部４ｄは、第１プレート部３ａの下面から離れるように、配置されている、という構成でもよい。
【００７０】
（６）また、上記実施形態に係るマンコンベヤ１においては、第１床プレート体３の固定部３ｅの第１ネジ部３ｇは、雄ネジであって、構造体２の被固定部２ｆの第２ネジ部２ｈは、雌ネジである、という構成である。しかしながら、マンコンベヤ１は、斯かる構成に限られない。例えば、第１床プレート体３の固定部３ｅの第１ネジ部３ｇは、雌ネジであって、構造体２の被固定部２ｆの第２ネジ部２ｈは、雄ネジである、という構成でもよい。
【００７１】
（７）また、上記実施形態に係るマンコンベヤ１においては、第１床プレート体３の固定部３ｅは、第１ネジ部３ｇを備えている、という構成である。しかしながら、マンコンベヤ１は、斯かる構成が好ましいものの、斯かる構成に限られない。
【００７２】
例えば、第１床プレート体３の固定部３ｅは、上記特許文献１（特開２０１７−１９０２２９号公報）のように、回転することによって、構造体２（例えば、上枠部２ｃ又は連結部２ｄ）に上下方向Ｄ３で引っ掛かる状態と構造体２から離れる状態とを切り替える、という構成でもよい。しかしながら、斯かる構成においては、固定部３ｅを回転し易くするために、固定部３ｅと構造体２との間に、ある程度の隙間を設ける必要がある。
【００７３】
したがって、上記実施形態及び図１３〜図１６に係る構成のように、第１床プレート体３が構造体２に固定される際に、第１プレート部３ａが構造本体部２ｂに対して上下方向Ｄ３に移動することを確実に規制するために、第１床プレート体３の固定部３ｅは、第１ネジ部３ｇを備えている、という構成が好ましい。さらに、斯かる構成によれば、位置変更部３ｉによって構造体２に対する第１プレート部３ａの位置が変化しても、第１プレート部３ａが構造本体部２ｂに対して上下方向Ｄ３に移動することを規制することができる。
【００７４】
（８）また、上記実施形態に係るマンコンベヤ１においては、第３床プレート体５は、固定部５ｅを備えている、という構成である。しかしながら、マンコンベヤ１は、斯かる構成に限られない。例えば、第３床プレート体５は、第２プレート部４ａに引っ掛かる突出部５ｄだけでなく、コムプレート部６ａの下面に引っ掛かるように、第３プレート部５ａから突出する突出部も備える、という構成でもよい。
【符号の説明】
【００７５】
１…マンコンベヤ、１ａ…乗降部、２…構造体、２ａ…機械室、２ｂ…構造本体部、２ｃ…上枠部、２ｄ…連結部、２ｅ…被固定部、２ｆ…被固定部、２ｇ…保持部、２ｈ…第２ネジ部、２ｉ…案内部、２ｊ…支持部、２ｋ…挟み部、２ｍ…ボルト、２ｎ…ナット、２ｐ…挿通孔、２ｑ…接続部、３…第１床プレート体、３ａ…第１プレート部、３ｂ…第１補強部、３ｃ…第２補強部、３ｄ…突出部、３ｅ…固定部、３ｆ…操作部、３ｇ…第１ネジ部、３ｈ…雌ネジ部、３ｉ…位置変更部、３ｊ…ナット、３ｋ…ボルト、４…第２床プレート体、４ａ…第２プレート部、４ｂ…第１補強部、４ｃ…第２補強部、４ｄ…第１突出部、４ｅ…第２突出部、５…第３床プレート体、５ａ…第３プレート部、５ｂ…第１補強部、５ｃ…第２補強部、５ｄ…突出部、５ｅ…固定部、５ｆ…ボルト、５ｇ…ナット、６…コムプレート体、６ａ…コムプレート部、６ｂ…櫛板部、１１…搬送部、１１ａ…走行部、１１ｂ…ステップ、１２…欄干部、１２ａ…手摺ベルト、１２ｂ…ベルト支持部、１２ｃ…カバー部、１３…駆動部、１３ａ…回転部、１３ｂ…駆動源、１４…乗降床部、Ｄ１…幅方向（横方向）、Ｄ２…前後方向（横方向）、Ｄ３…上下方向、Ｘ１…着脱具、Ｘ１ａ…雄ネジ部
【図１】
2020142916.tif 000003
【図２】
2020142916.tif 000004
【図３】
2020142916.tif 000005
【図４】
2020142916.tif 000006
【図５】
2020142916.tif 000007
【図６】
2020142916.tif 000008
【図７】
2020142916.tif 000009
【図８】
2020142916.tif 000010
【図９】
2020142916.tif 000011
【図１０】
2020142916.tif 000012
【図１１】
2020142916.tif 000013
【図１２】
2020142916.tif 000014
【図１３】
2020142916.tif 000015
【図１４】
2020142916.tif 000016
【図１５】
2020142916.tif 000017
【図１６】
2020142916.tif 000018
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
躯体に設置される構造体と、
乗降部の床を構成するために、前記構造体の上に設置される複数の床プレート体と、を備え、
前記複数の床プレート体は、最も端部に配置される第１床プレート体と、前記第１床プレート体の隣に配置される第２床プレート体と、を含み、
前記第１床プレート体は、平板状に形成される第１プレート部と、前記第１プレート部を構造体に固定する固定部と、を備え、
前記固定部は、前記第１プレート部が前記構造体に固定される状態と固定を解除される状態とを切り替えるために、前記第１プレート部の上方側から操作可能な操作部を備え、
前記第２床プレート体は、平板状に形成される第２プレート部と、前記第１プレート部の下面に引っ掛かるように、前記第２プレート部から突出する突出部と、を備える、マンコンベヤ。
【請求項２】
前記突出部は、前記第１プレート部の下面に接するように、配置され、
前記第１床プレート体は、前記第２プレート部の下面に接するように、前記第１プレート部から突出する突出部を備える、請求項１に記載のマンコンベヤ。
【請求項３】
前記固定部は、前記第１プレート部よりも下方に配置される第１ネジ部を備え、
前記構造体は、前記躯体に設置される構造本体部と、前記第１ネジ部と螺合する第２ネジ部と、前記第２ネジ部が前記構造本体部に対して横方向に移動することを許容し且つ上下方向に移動することを規制するように、前記第２ネジ部を保持する保持部と、を備える、請求項１又は２に記載のマンコンベヤ。
【請求項４】
前記第１ネジ部は、雄ネジであって、
前記第１プレート部は、前記第１ネジ部と螺合する雌ネジ部を備える、請求項３に記載のマンコンベヤ。
【請求項５】
躯体に設置される構造体と、
乗降部の床を構成するために、前記構造体の上に設置される床プレート体と、を備え、
前記床プレート体は、平板状に形成されるプレート部と、前記プレート部を前記構造体に固定する固定部と、を備え、
前記固定部は、前記プレート部の上方側から操作可能な操作部と、前記プレート部よりも下方に配置される第１ネジ部と、を備え、
前記構造体は、前記躯体に設置される構造本体部と、前記第１ネジ部と螺合する第２ネジ部と、前記第２ネジ部が前記構造本体部に対して横方向に移動することを許容し且つ上下方向に移動することを規制するように、前記第２ネジ部を保持する保持部と、を備える、マンコンベヤ。
【請求項６】
前記プレート部は、前記固定部に挿入される雌ネジ部又は貫通孔を備え、
前記雌ネジ部又は前記貫通孔の内径は、前記第１ネジ部の外径よりも大きく、
前記操作部は、前記プレート部を止めるために、前記雌ネジ部又は前記貫通孔の内径よりも大きい外幅を有する、請求項５に記載のマンコンベヤ。